Podtech/llm-jp-corpus-v4-ja_patent huggingface dataset:
(57)【要約】      （修正有）【課題】所定位置に安定して配置され、物品を固定する作用と装飾作用を有する装飾物の充填構造を提供する。【解決手段】物品を固定する装飾物の充填構造は、所定の造型に成型される被覆物で、内部は容置空間を有し、容置空間内底部は第一充填層を有し、第一充填層頂点部は少なくとも一第二充填層を設置し、第二充填層の比重は、第一充填層より軽く、容置空間は、上が軽く下が重い配置になる。【選択図】図２
0003141184.tif 000002
【実用新案登録請求の範囲】
【請求項１】
物品を固定する装飾物の充填構造であって、
所定の造型に成型され、内部が容置空間を有する被覆物と、
前記容置空間内底部に位置し、比重が重い第一充填物より構成される第一充填層と、
前記容置空間内の前記第一充填層頂部に位置し、比重が前記第一充填物より軽い第二充填物からなる第二充填層からなることを特徴とする、物品を固定する装飾物の充填構造。
【請求項２】
前記第一充填物は金属砂であることを特徴とする、請求項１に記載の物品を固定する装飾物の充填構造。
【請求項３】
前記第二充填物は綿であることを特徴とする、請求項１に記載の物品を固定する装飾物の充填構造。
【請求項４】
前記第一充填物は金属砂、及び、少なくとも一つの錘であることを特徴とする、請求項１に記載の物品を固定する装飾物の充填構造。
【請求項５】
前記錘は砂パックであることを特徴とする、請求項４に記載の物品を固定する装飾物の充填構造。
【請求項６】
前記被覆物は皮革材質であることを特徴とする、請求項１に記載の物品を固定する装飾物の充填構造。
【考案の詳細な説明】
【技術分野】
【０００１】
本考案は装飾物に関し、特に、物品を固定する装飾物の充填構造に関する。
【背景技術】
【０００２】
一般に、本立て、ドアストッパー、文鎮等の物品を固定する装飾物は、どれも重量のある鉄やプラスチック等の材料からなり、その外形は変化に乏しい。故に、いかにして、公知の充填物を、物品を固定し、装飾効能を有する装飾物にするかが問題である。
【考案の開示】
【考案が解決しようとする課題】
【０００３】
本考案の目的は、物品を固定する装飾物の充填構造を提供し、上述の問題を改善することにある。
【課題を解決するための手段】
【０００４】
物品を固定する装飾物の充填構造は、所定の造型に成型する被覆物からなる。その内部は、容置空間を有し、容置空間内底部は少なくとも一つの第一充填層と少なくとも一つの第二充填層を設置する。第二充填層内の充填物の比重は、第一充填層内の充填物より軽く、被覆物は、上が軽く下が重い配置になり、故に、重心が低くなり、所定位置上に安定して固定されて物品を固定し、装飾作用も有する装飾物が完成する。
【考案の効果】
【０００５】
重心が低く、所定位置に安定して配置されて、様々な物品を停止、固定することができ、且つ、被覆物は各種立体造型にできるので、装飾物の品質と美観を向上させることができる。
【考案を実施するための最良の形態】
【０００６】
図１と図２は、それぞれ、本考案の物品を固定する装飾物の充填構造の好ましい実施例を示す外観図、及び、図１のAAの断面図である。装飾物は被覆物１０、第一充填層２０、及び、第二充填層３０からなる。
【０００７】
被覆物１０は立体成型された動物造型で、本考案は皮革材質により頭部１１、頭部１１下方から延伸する体部１２、及び、体部１２底部四端からそれぞれ延伸する脚部１３を有し、頭部１１、体部１２、及び、脚部１３内部は容置空間１４を有する。
【０００８】
第一充填物２０は被覆物１０の容置空間１４底部に位置し、体部１２底部から脚部１３の容置空間１４内に充填され、比重が重い第一充填物２１からなり、本実施例中、第一充填物２１は金属砂を利用し、体部１２底部から脚部１３がしっかり充填される。
【０００９】
第二充填層３０は第一充填層２０頂部に位置し、体部１２上端から頭部１１の容置空間１４内に充填され、比重が第一充填物２１より軽い第二充填物３１から構成され、本実施例中、第二充填物３１は綿で体部１２頂部から頭部１１がしっかり充填される。
【００１０】
図１のように、第二充填物３０の比重は第一充填層２０より軽いので、装飾物は上が軽く下が重い配置になり、故に、装飾物の重心が低く、且つ、重量が増加し、所定位置上に安定して配置され、本やCDを止める装飾物、ドアストッパー、紙を押さえる文鎮となり、物品を固定、及び、装飾効果のある装飾物が得られ、重心が安定せず傾倒するのを防止する。
【００１１】
図３のように、本考案のもう一つの実施例は、主要構造と効能は前述の実施例と相同であり、ここに詳述しないが、異なるのは、第一充填層２０の第一充填物２１は多数の金属砂２１１、及び、錘２１２を含み、錘２１２は砂パックで、且つ、錘２１２の形状と脚部１３の形状は相似し、容置空間１４を快速に充填することである。
【００１２】
故に、被覆物内の第二充填層の比重が第一充填層より軽い配置により、被覆物は上が軽く下が重い配置になるので、重心が低く所定位置に安定して配置されて、様々な物品を停止、固定することができ、且つ、被覆物は各種立体造型にできるので、装飾物の品質と美観を向上させることができる。
【図面の簡単な説明】
【００１３】
【図１】本考案の好ましい実施例の外観図である。
【図２】図１のAAの断面図である。
【図３】もう一つの実施例のAAの断面図である。
【符号の説明】
【００１４】
１０        被覆物
１１        頭部
１２        体部
１３        脚部
１４        容置空間
２０        第一充填層
２１        第一充填物
２１１      金属砂
２１２      錘
３０        第二充填層
３１        第二充填物
【図１】
0003141184.tif 000003
【図２】
0003141184.tif 000004
【図３】
0003141184.tif 000005
(57)【要約】      （修正有）【課題】清涼飲料水のペットボトルの空き瓶が、焼却ごみの、大部分を占め、持て余し気味であり、其の空きビンを再利用する。【解決手段】ペットボトルの蓋に、紐が通せる穴が開いていると、其れが、緊急時には、救命器具として、大変、役立つ物に、変わるのである。例えば、大型ペットボトルを２本、６０〜７０ｃｍ位の紐で結び、其れを、遊泳を楽しんでいる時、引きずって泳いで、疲れたら、其の紐に跨り、ブイ代用に出来るし、溺れかかった時の救命具にもなる。又、ボトルに水を少し、入れておけば、水筒代用にもなる。数本の大型ペットボトルを紐で結べば、緊急時の救命筏にもなる。【選択図】図４
0003141185.tif 000002
【実用新案登録請求の範囲】
【請求項１】
清涼飲料水やミルク、コーヒーや果物ジュース、お茶、その他、飲料水等を詰めて販売されているペットボトルの蓋で、其の内側には蓋の開閉用の螺旋状の溝がある蓋に関し、材質を問わず、其の外側に、紐を通せる穴を設けた蓋。
【考案の詳細な説明】
【技術分野】
【０００１】
清涼飲料のペットボトルは、通常、中身がなくなると、廃棄処分にするか、再生の為の工場に送られるか、であるが、其の蓋に穴があると、緊急時に、救命器具として役立つ物になる。
【背景技術】
【０００２】
従来の清涼飲料のペットボトルは、中身がなくなると殆ど使い道がなく、置き場所にも困る厄介物に化して、しまうだけであるが、其の蓋に紐を通せる穴がある場合、緊急時に、大変役立つ救命機具に変身するのである。其の例を挙げて、如何なる時に、蓋にリング（輪）状の穴の付いた、ペットボトルが救命器具になるか、説明する。
【考案の開示】
【考案が解決しようとする課題】
【０００３】
例えば、海浜で、遊泳を楽しんで居る時、空き瓶の大型、ペットボトルを２本蓋の、リング状の穴に６０〜７０ｃｍの紐を通し、其れを引きずって泳いでいると、疲れた時とか、万一の溺れかかった時、其の２本の、ペットボトルを、結んだ紐に跨り、休憩が出来るし、又、救命ブイ、として、役立つのである。
又、其の、ペットボトルに、半分位、水を入れて、引きずって泳ぐと、喉乾いた時、飲める水筒にもなるし、海浜や、河川に於ける、空きペットボトルの、緊急時の利用法は、驚くほどの数があり、其の主だった用途を挙げて見る。
【課題を解決するための手段】
【０００４】
例えば河川の中洲で、キャンプをしている時、突然の降雨で、河川の水が増量し、岸に渡れなくなり、中洲に取り残される事が、往々にしてある。対岸に泳いで渡るには、既に急流となり、僅か、１０m〜２０mの距離が、渡るに渡れなくなってしまい、万事休すと、言う事になった時、小型ペットボトルの蓋に紐を通せる、リング状の穴が開いていると、それに紐を通し、対岸に、小型ペットボトルを投げて、其の紐を、対岸側が準備した救助用の綱に結び、手繰り寄せる手段にするとか、其の救助用の綱に身を任せ、対岸に泳いで渡る時に、大型ペットボトルの蓋に紐を通し、其の紐を腰に巻きつけて、万一の溺れかかった時の、緊急用の救命ブイの役目を、させるとか、色んな、救命器具に変身させられるのである。
【考案の効果】
【０００５】
蓋に紐を通した大型ペットボトルを２本、６０ｃｍ〜７０ｃｍ、くらいの長さの紐で結ぶと、泳ぎ疲れたとき、其の紐に跨ると、２本の大型ペットボトルが、ブイに変身し、楽な姿勢での休憩が出来る。  又、洗濯かご状の物の４隅に、大型ペットボトルを、それぞれ結び付け、水中に浮かべ、其のかごに子供を入れて遊ばせる事が出来るし、潜水して取ってきた獲物を入れておく籠にもなる。
【考案を実施するための最良の形態】
【０００６】
飲料水メーカーは、自社の製品の売り出しキャンペーンの、テレビ、コマーシャルや、広告チラシに、ペットボトルの蓋のリング状の穴の説明や、利用方法などを、知らせる事に依って、顧客は其の利用価値を知り、リング状の穴の付いた蓋の製品を選んで、購入する様になり、売りあげの増大にも結びつく。
此の事に、気が付いたライバル会社は、同様な事を、しようとしても、其れが、特許庁の許可を得た、実用新案だと判れば、真似をしようにも、真似が出来ない訳で、又、万一の緊急時に、リング状の穴の付いた蓋が、空になったペットボトルを、人命を救う器具に変身させ、この考案を実施する為の最良の形態となるのである。
【実施例】
【０００７】
筏を組める材料さえあれば、ペットボトルの浮力を利用した、一坪か２坪位の
筏が、簡単に作れるし、キャンプ用品の水上運搬や、遊びの為の筏が短時間に作れるので便利である。筏の材料を日曜大工の店で購入し、車の屋上積載機具
に積んで、キャンプ場に運び、組み立て、必要な数の空のペットボトルを結びつければ、筏が簡単に出来上がるのである。後は、色んな危険を想定し、其の対策に配慮しながら、安全な遊びや、キャンプ生活を、満喫すればよい。
【産業上の利用可能性】
【０００８】
リング状の穴が開いた蓋の権利を入手した、清涼飲料水の会社は、其の蓋の、色んな利用方法を、テレビや広告キャンペーンで知らせる様にし、そして自社製品のペットボトルの首に、紐を通せる穴がある、蓋を景品として、ぶら下げるだけで、売り上げに、歴然たる効果が現れ、ライバル会社に差をつける事が出来る筈である。其れを買った客も其れを利用して、夏の海浜や、山野で、其れを利用し楽しみ、且つ、万一の緊急時には、其れを救急器具として使用し、役立てれば、其の利用価値は、命を救える価値となり得るのである。
【図面の簡単な説明】
【０００９】
【図１】リング状の穴が開いたペットボトルの蓋姿図
【図２】穴が開いた蓋の、斜め横姿図
【図３】大型ペットボトルを２本紐で結んだ物
【図４】大型ペットボトルを２本紐で結んだ物に、人間が跨った姿
【図５】大型ペットボトルを２本紐で結び、中に少量の水を入れ水筒にする。
【図６】筏を組み、４隅に、大型ペットボトルを結び付けた姿
【図７】洗濯かごの４隅に、大型ペットボトルを結びつけた姿
【符号の説明】
【００１０】
１、蓋
２、穴
３、ペットボトル
４、紐
５、人間
６、筏
７、洗濯かご
【図１】
0003141185.tif 000003
【図２】
0003141185.tif 000004
【図３】
0003141185.tif 000005
【図４】
0003141185.tif 000006
【図５】
0003141185.tif 000007
【図６】
0003141185.tif 000008
【図７】
0003141185.tif 000009
(57)【要約】【課題】  ルーズリーフ紙の余白部分になる事が多かった部分を、有益な情報を得ることができるスペースとして有効活用することができる企業広告付きルーズリーフ紙。【解決手段】  ルーズリーフ紙（１）の下部（２）に、企業名及び商品名を印字した企業広告付きルーズリーフ用紙。【選択図】図１
0003141126.tif 000002
【実用新案登録請求の範囲】
【請求項１】
ルーズリーフ紙（１）の下部分（２）に企業名称及び商品名等の企業広告が印字されたルーズリーフ用紙。
【考案の詳細な説明】
【考案の詳細な説明】
この考案は、企業広告付きのルーズリーフ用紙に関するものである。
従来のルーズリーフ紙は、紙面全てを利用せずに余白が出来てしまうこと事が多かった。ルーズリーフには、ルーズリーフ紙を保存するためのファイルを常に持ち歩かなくても、使用したルーズリーフ紙を後でファイルに保存することができるというメリットがあるため、前回使用したルーズリーフ紙を使い終わらないうちに次のルーズリーフ紙を利用するケースが発生し、結果的に余白ができてしまうためである。
本考案は、その余白部分を有効利用するためになされたもので、これを図面について説明すれば、ルーズリーフ紙（１）の下部分（２）に企業広告を印刷により印字する。
本考案は、このような構造であるから、通常余白部分となるケースが多かった部分を有効活用でき、ルーズリーフ紙の利用者にとって有益な情報を得る事ができる。また、企業にとっても新たな広告宣伝戦略に貢献することになる。
【図面の簡単な説明】
【図１】  本考案の平面図である。
【符号の説明】
１はルーズリーフ紙  ２は広告印字部分
【図１】
0003141126.tif 000003
(57)【要約】      （修正有）【課題】ズームレンズとＣＣＤカメラの光軸の偏差の補正が簡単に行われ、高倍率のズームレンズの使用に於いても目標を見失う事を無くす事が可能になる。【解決手段】ズームレンズの外筒とマウント部分の間に、外筒上を３６０°回動する外側偏芯リングと、その偏芯部に重なって、偏芯部上を３６０°回動出来る内側偏芯リングの外周を周動するマウントリングでマウント部に組付け、２つの偏芯リングを夫々３６０°範囲内回動する事で、ズームレンズの光軸を、マウントセンターの偏芯リングの偏芯量の２倍を半径とする円内の任意の点に移動出来る様にした監視カメラ用ズームレンズの光軸補正装置。【選択図】図１
0003141125.tif 000002
【実用新案登録請求の範囲】
【請求項１】
監視カメラと高倍率のズームレンズの組合せに於いて、マウント部分でＣＣＤの画像のセンター光軸とズームレンズの光軸とのずれを補正する装置として、外径偏芯リングと内径偏芯リングを組合せズーム鏡筒の外側とマウント金具の間に、夫々全周回動出来る様組み付け、偏芯リングを夫々を回動することで、ＣＣＤカメラの光軸に対し、ズームレンズの光軸を、偏芯リングの偏芯量の２倍の半径を持つマウント中心部円内を移動させＣＣＤカメラの光軸に整合させる事を特徴とする、監視カメラ用ズームレンズの光軸補正装置。
【考案の詳細な説明】
【技術分野】
【０００１】  本考案は監視カメラと高倍率ズームレンズとモニターテレビのの組合せに関する。
【背景技術】
【０００２】  従来監視カメラにズームレンズを組みつけることは一般に行われていた。【０００３】  従来監視カメラではモニターでワイドアングルのモニター画面のセンターで目標を設定しズームアップしていた。【０００４】  ズームレンズの倍率も１０Ｘ，２０Ｘ，３０Ｘ，４０Ｘ，５０Ｘ，１００Ｘ，と高倍率の物が使用される様になってきている。
【考案の開示】
【考案が解決しようとする課題】
【０００５】  以上に述べた様に高倍率のズームアップをしようとする場合マウント部に於いてＣＣＤの画像センターとズームレンズの光軸とのズレがあると目標を見失う等の問題が起こる事がある。【０００６】  そのためにマウント部に於いてズームレンズの光軸をＣＣＤ画像センターに一致する様補正する必要がある。
【課題を解決するための手段】
【０００７】  上記の問題はズームレンズの光軸とＣＣＤカメラのマウント部分でＣＣＤ光軸を整合補正する方法が最も簡単で確実と考えられる。【０００８】  ズームレンズ外鏡筒を外径偏芯リングと内径偏芯リングの２重リングが夫々３６０°回動出来る様マウント板にマウントリングで組み付けることで、ＣＣＤカメラのマウント部にズームレンズを取り付けた際、偏芯リングを回動することで光軸をモニターに拠って偏芯量の２倍の半径の範囲内で簡単に補正出来る。
【考案の効果】
【０００９】  上述の様にズームレンズとＣＣＤカメラの光軸の偏差の補正が簡単に行われることで選り高倍率のズームレンズの使用に於いても目標を見失う事を無くす事が可能になる。
【考案の実施するための最良の形態】
【００１０】  以下、本考案の実施の形態を図１〜図２に基づいて説明する。
【００１１】  図に於いて１はズームレンズの光軸・２はＣＣＤカメラの光軸ＣＣＤ画像のセンターで３がＣＣＤカメラのマウント部・１４がＣＣＤカメラ本体・・１３がＣＣＤ結像面である。
【００１２】  ８がズームレンズのマウント部・４はズームレンズ外筒・４’は外筒受け金物・５は外径偏芯リング・５’同用Ｏリング・６は内径偏芯リング・６’同用Ｏリングで７のマウントリングで、８のマウント部に５の外径偏芯リングと６の内径偏芯リングが夫々３６０°回動出来る様組み付けられている。
【００１３】  ５の外径偏芯リングと６の内径偏芯リングを夫々±１８０°範囲内回動する事で１のズームレンズ光軸を２のＣＣＤカメラ光軸に対し偏芯リングの偏芯量の２倍の半径を持つ円１６内で簡単に調整出来る。
【図面の簡単な説明】
【００１４】
【図１】  本考案実施例の実支部断面図
【図２】  本考案の作用説明図
【符号の説明】
【００１５】１    ズームレンズ光軸
２    ＣＣＤ光軸
３    ＣＣＤカメラのマウント部
４    ズームレンズ外筒
４’  外筒受け金物
５    外径偏芯リング
５’  同用Ｏリング
６    内径偏芯リング
６’  同用Ｏリング
７    マウントリング
８    ズームレンズマウント部
９    回動用治具穴
１０  ズームレンズ内筒
１１  ズームレンズ結像レンズホルダー
１２  レンズ押さえ
１３  ＣＣＤ結像面
１４  ＣＣＤカメラ本体
１５  偏芯面作動説明
１６  ズームレンズ光軸可動範囲
１７  ズームレンズ結像レンズ群
【図１】
0003141125.tif 000003
【図２】
0003141125.tif 000004
(57)【要約】【目的】  袖や襟のボタンを外したときの開口度を調節固定する器具。【構成】  ダブルフランジ型（二重輪端型）飾りボタン、それに連接する輪状鎖よりなる。  使い方は、ダブルフランジ型飾りボタンのボタン部をボタンホールに差し込み、一端を飾りボタン部に繋着された輪状の索状の反対側をボタンに係着させることにより開口度を固定する。【効果】  シャツの襟や袖のボタンを外したときに寒暖に応じて襟袖口の開口度を変えられ、安定化することができる。【選択図】図１
0003141128.tif 000002
【実用新案登録請求の範囲】
【請求項１】
長袖シャツの袖ボタンを外したときの袖４の開口度を調節し、安定化するために、ボタンホール部に着脱可能な固定式飾りボタン１を留める、一方その飾りボタンに一端を繋着された輪状の索状２の反対側の自由な側をボタン３に係着させることにより、袖口の開き度を調節、安定化することを特徴とする装身用止め具。
【請求項２】
シャツ襟のボタンを外したときの襟の開口度を調節し、安定化するために、ボタンホール部に着脱可能な固定式飾りボタンを留める、一方その飾りボタンに一端を繋着された輪状の索状の反対側の自由な側をボタンに係着させることにより、襟口の開き度を調節、安定化することを特徴とする装身用止め具。
【請求項３】
長袖シャツの袖やシャツの襟のボタンを外したときの開口度を調節し、安定化するために、ボタンホール部に着脱可能な固定式飾りボタンを留める、一方その飾りボタンに一端を繋着された輪状の索状の反対側の自由な側をボタンに係着させることにより、袖口や襟口の開き度を調節、安定化することを特徴とする装身用止め具において、飾りボタンが二重輪端型の構造をもつことを特徴とする装身用止め具。
【考案の詳細な説明】
【技術分野】
【０００１】最近の傾向として、夏季にオフイスの省エネルギーの為にクールビズが敷衍化して長袖シャツの着用時に襟口のボタンを外して仕事をする傾向が強くなっている。本考案は開襟状態における着用性、機能性を改良して、更に美的効果も与えるものである。
シャツの袖部においても襟部と同様着用快適性を改良向上し、更に美的効果も与えることが出来、又カフス仕立てで無いノーマルシャツのカフスボタンとしても使用できるという新しい価値の創出が期待される。
【背景技術】
【０００２】  従来技術については、日本メジカル株式会社が此の分野に関して既に登録した以下の３件の出願がある。即ち、実用新案登録  第３１２７９１５号（平成１８年１１月２９日登録）意匠登録  第１２９６３０２号（平成１９年２月１６日登録）意匠登録  第１２９６３０３号（平成１９年２月１６日登録）これら３件は装身用止め具としてシャツの襟や袖の開口度を調節安定化するために、飾りボタン、鎖、係止具の３部分よりなるもので、飾りボタンをボタンホールに留め、それに連接した鎖の反対側に接合した係止具としての金属リングを空いているボタンに填めることによって襟袖の開口度を安定化固定化するものである。
【本考案が解決しようとする課題】
【０００３】  前に述べた登録実用新案及び登録意匠の商品の実用上の問題点として、係止具としての金属リングをボタンに填める場合に種々の問題が発生した。即ちリングサイズとボタンサイズの不一致による填めこみの困難性、リングの外観が良くない、リングのコストが高い、リングをボタンに填めるのが煩雑である等である。これらの問題を解決するために本考案がなされた。
【課題を解決するための手段】
【０００４】  本考案は上記の課題を解決するために考案された。
即ち図１に示した如く、飾りボタン１とそれに一端を繋着された輪状の鎖２より構成される。
使用法は、先ず飾りボタンの底部の係止用部分をボタンホールに差込み安定化する、次いで輪状の鎖の反対側の部分を空いているボタンに引っ掛けることにより完成する。
従来の楕円形リングをボタンの係止具として使用するときの問題点の殆どは、この輪状の鎖に変えることによって解決した。
【０００５】  上記の着脱可能な飾りボタンについて説明すると、先ず此の飾りボタンは使用中安定的にボタンホールに留まっている機能が必要である。また軽量であり着脱が容易であることが必須条件である。  飾りボタンの構成は、例えば直径１０ｍｍ位の薄い金属円盤２枚を平行に５ｍｍ間隔位で並べ円盤の中心部分で接合されたもの、いわゆるダブルフランジ型（二重輪端型）のものが本目的達成のため最適である。２枚の円盤のいずれかがボタンホールに留められ飾りボタンを安定に留まらせる機能を発揮する、そしてもう一枚の相対する円盤は飾り効果を表すものである。飾りボタンは表面に飾りとして貴金属とかロゴマークを応用する事により本止め具の商品価値をあげることが出来る。
その他、飾りボタンを安定的にボタンホールに留まらせるものとして意匠登録第１２９６３０２号として登録されたイヤリングの固定用によく使われる金属バネ式固定具も使用できる。
【０００６】  索状について説明すると、鎖の形態のものが有用な材料として使われる。  鎖の材料としては金属、高分子樹脂が良い。他にも普通のマルチフイラメント繊維、モノフイラメント繊維を材料にした組み紐、意匠糸、嵩高加工糸も使用できる。  ゴム状弾性を示す繊維、例えばスパンデックス或いはそのコアーヤーン、カバードヤーンも使用出来る。
本考案品の使用中、ボタンに引っかけた索状は飾りボタンをグルグル回して撚りを掛けると長さが短くなり撚りを戻すと長くなり、又索状をボタンに引っかけたあとボタンに二重巻きにすれば索状が短くなり袖や襟の開口度を大小に変化させることが出来る。勿論索状自身長短のものを選ぶことにより袖口や襟口の開口度を大小に変化させることが出来る。
伸縮糸を使用した索状では、伸縮性のために索状輪をボタンに掛け易い、又掛けたあとにその収縮性のためにボタンと飾りボタンとの間に常に収縮力を保持できるために使用中索状のボタンはずれが起きにくい利点がある。  伸縮性糸は伸縮度が大きいので、本考案品を付けたままシャツの着脱が出来るため指の関節に病気を持ちボタンを填めることが困難な人のシャツに有用である。
【図面の簡単な説明】
【０００７】
【図１】本考案に係わる安定具の斜視図である。
【図２】本考案に係わる安定具の袖口での使用状態を示す正面図。
【符号の説明】
【０００８】  １  二重輪端型飾りボタン
２  鎖
３  ボタン
４  袖
【図１】
0003141128.tif 000003
【図２】
0003141128.tif 000004
(57)【要約】【課題】本考案はスクレーパー本体にダスト・ボックス（ゴミ箱）を装着させ、スクレーパーの刃により削りでた異物を速やかに回収集積し作業現場の清潔維持をさせ、後の異物回収の労力的、時間的負担を軽減させる効果があり、ダスト・ボックスも繰り返し利用できる。【解決手段】本考案はスクレーパー本体２にダスト・ボックス１を装着させ、スクレーパーの刃２aで削り出した異物をダスト・ボックス開口部３より回収し集積部４に蓄積され、作業の中断もせず、つねに作業現場は清潔に保つ事が可能である。ダスト・ボックス１は磁石によりスクレーパー２に張り付いている為、容易に取り外して蓄積された異物を廃棄させ再度装着させて繰り返し使用可能となる。後の異物回収の労力的、時間的負担を軽減させる効果がある。【選択図】図２
0003141127.tif 000002
【実用新案登録請求の範囲】
【請求項１】
スクレーパー本体にダスト・ボックス（ゴミ箱）を設けて、スクレーパーにより削られた異物がダスト・ボックスに集積される特徴を持つダスト・ボックス付スクレーパー。
【考案の詳細な説明】
【技術分野】
【０００１】
本考案は、ダスト・ボックス（ゴミ箱）を設けた、スクレーパーに関するものである。
【背景技術】
【０００２】
塗装の剥離、壁紙の剥離、床掃除等においてスクレーパーで削られた異物は、作業後の清掃により集積され廃棄していた。
【特許文献１】特開２００５−９５９７０号公報
【特許文献２】実開  平７−１５９４２号公報
【考案の開示】
【考案が解決しようとする課題】
【０００３】
作業後の清掃は、労働的、時間的負担となるうえ、異物の放置は衛生的にも安全性も損なわれる。従って、スクレーパーにダスト・ボックス（ゴミ箱）を一体化する事で、スクレーパーで削られた異物は、すみやかに集積され前述の欠点を解決しようとするものである。
【課題を解決するための手段】
【０００４】
本考案はスクレーパーの刃の近辺にダスト・ボックス（ゴミ箱）開口部を設けスクレーパーの刃で削られた異物がすみやかに入り、集積部を設けて異物が溜まる工夫をして問題点を解決している。
【考案の効果】
【０００５】
スクレーパーの刃で削られた異物は、ダスト・ボックスの集積部に溜まり、作業の中断もせずつねに作業現場は清潔に保つ事が可能である。
【考案を実施するための最良の形態】
【０００６】
ダスト・ボックスの裏面に磁石板を張り合わせて、磁力によりスクレーパー本体に貼り付け、脱着可能が相応しい構造である。スクレーパーの刃の付近にダスト・ボックスの開口部がくる様に合わせれば、スクレーパーの刃によって削られた異物がすみやかに入り易くなる。
【実施例１】
【０００７】
以下、添付図面に従って実施例を説明する。ダスト・ボックスは耐久性のプラスッチック等適当素材にて形成され、スクレーパー本体に装着されている。スクレーパー柄２bを持ち、スクレーパーの刃２aで対象物を削り出した異物がダスト・ボックスの開口部３から入り、集積部４に溜まる。集積部４に溜まった異物は、ダスト・ボックスをスクレーパーから取り外し、異物を廃棄させ再度ダスト・ボックスへ装着させ繰り返し使用可能となる。
【産業上の利用可能性】
【０００８】
スクレーパーは様々な用途で使用される汎用性の高い工具の一つである。そのスクレーパーの刃で削られた対象物の異物はダスト・ボックスに入ってゆき、作業を中断することなく作業エリアの清潔性が保たれる。また、どの様な作業現場にでも対応できる高い可能性がある。
【図面の簡単な説明】
【０００９】
【図１】本考案のダスト・ボックス付スクレーパーの一実施例を示す上面図である。
【図２】ダスト・ボックス付スクレーパーの横面図である。
【図３】ダスト・ボックス付スクレーパーの正面図である。
【符号の説明】
【００１０】
１    ダスト・ボックス
２    スクレーパー
３    ダスト・ボックス開口部
４    ダスト・ボックス集積部
５    磁石板
【図１】
0003141127.tif 000003
【図２】
0003141127.tif 000004
【図３】
0003141127.tif 000005
(57)【要約】      （修正有）【課題】食品包装用ラップフィルムの逆戻りを防止させる。【解決手段】板状磁石を食品包装用ラップフィルム容器に取り付け、ラップフィルムを切断と同時に磁力で板状磁石と容器の刃の間にラップフィルムを挟み込ませ、容器とラップシートを固定させる。【選択図】図１
0003141123.tif 000002
【実用新案登録請求の範囲】
【請求項１】
（イ）板状磁石１に、フック２を固定する。
（ロ）食品包装用ラップフィルム容器２０に、（イ）を取り付ける。
以上のように構成された、食品包装用ラップフィルム逆戻り防止器具。
【請求項２】
板状磁石１をコの字型の台座板３に固定した、請求項１の食品包装用ラップフィルム逆戻り防止器具。
【請求項３】
板状磁石１の輪郭に凹凸４を施した、請求項１の食品包装用ラップフィルム逆戻り防止器具。
【請求項４】
板状磁石１の表面に鏡面加工を施した、請求項１の食品包装用ラップフィルム逆戻り防止器具。
【考案の詳細な説明】
【技術分野】
【０００１】本考案は、食品包装用ラップフィルムの逆戻りを防止する、食品包装用ラップフィルム逆戻り防止器具に関するものである。
【背景技術】
【０００２】従来から、市販の食品包装用ラップフィルムは、厚紙の専用容器に収納されているが利用開始後は容器とラップフィルムが固定されない構造であるため、保管中にラップフィルムが容器の中に逆戻りする事が発生しやすい。
【考案の開示】
【考案が解決しようとする課題】
【０００３】食品包装用ラップフィルムが容器の中に逆戻りすれば、ラップフィルムの絡みつきにより、次ぎの取り出しに手間がかかるうえ、ラップフィルムがムダになる事もある。
このような不都合を解決する事を課題とする。
【課題を解決するための手段】
【０００４】請求項１の考案は、板状磁石にフックを取り付け、食品包装用ラップフィルム容器に容易に着脱可能にしたもので、本装置を食品包装用ラップフィルム容器に取り付ける事で、ラップフィルムを切断と同時に、板状磁石と容器の刃の間にラップフィルムの先頭部分が磁力で挟み込まれ、容器とラップフィルムが固定されるため逆戻りを防止できる。【０００５】請求項２の考案は、板状磁石をコの字型の台座板に接着し、台座のコの字に折り曲げた部分を、食品包装用ラップフィルム容器の隙間に挿入する方式で、ラップフィルム容器に取り付けられる構造とする。【０００６】請求項３の考案は、板状磁石の輪郭に凹凸を設け、板状磁石にラップフィルムが貼り付かない部分をつくる事で、ラップシートをつまみ出しやすい構造とする。【０００７】請求項４の考案は、板状磁石の表面に鏡面加工をする事で、板状磁石とラップフィルムの接触面の密着度を高め、ラップシートが逆戻りしにくい構造とする。
【考案の効果】
【０００８】本考案の食品包装用ラップフィルム逆戻り防止器具を、食品包装用ラップフィルム容器に取り付ける事により、ラップフィルムの逆戻りを防止できる。また、ラップフィルムの切断面を挟みこんでいるため、ラップフィルムの先端部分の折れ曲りも防止できる。さらに、保管中ラップフィルム容器の蓋を常に閉じた状態に保てるため衛生的でもある。
【考案を実施するための最良の形態】
【０００９】図１は、板状磁石１にフック２を備えた事を特徴とする、本考案の食品包装用ラップフィルム逆戻り防止器具１０を、食品包装用ラップフィルム容器２０に取り付けた場合の断面図である。同図に示す通り、フック２で容器に取り付けられた板状磁石１と容器の刃２１の間に磁力でラップフィルム２２が挟みこまれ、ラップフィルムの逆戻りを防止する。【００１０】図２は、板状磁石１を、コの字型の台座板３に固定した、本考案の食品包装用ラップフィルム逆戻り防止器具１０を、食品包装用ラップフィルム容器２０に取り付けた場合の断面図である。同図に示す通り、台座のコの字型部分を、容器の隙間に差し込む方式で取り付けられた板状磁石１と容器の刃２１の間に、磁力でラップフィルム２２が挟みこまれ、ラップフィルムの逆戻りを防止する。【００１１】図３は、板状磁石１の輪郭に凹凸４を施した、本考案の食品包装用ラップフィルム逆戻り防止器具１０の正面図である。同図で示す通り、輪郭に凹凸を設ける事で、板状磁石１と、ラップフィルム２２が貼り付かない部分をつくる事で、ラップフィルムをつまみ出しやすくする。
【産業上の利用可能性】
【００１２】本考案に係る、食品包装用ラップフィルム逆戻り防止器具は、工業的に量産可能であるため、産業上の利用可能性を有する。
【図面の簡単な説明】
【００１３】
【図１】板状磁石１にフック２を備えた事を特徴とする、本考案の食品包装用ラップフィルム逆戻り防止器具１０を、食品包装用ラップフィルム容器２０に、取り付けした場合の断面図である。
【図２】板状磁石１にコの字型の台座板３を備えた事を特徴とする、本考案の食品包装用ラップフィルム逆戻り防止器具１０を、食品包装用ラップフィルム容器２０に取り付けした場合の断面図である。
【図３】板状磁石１の輪郭に凹凸４を施した、食品包装用ラップフィルム逆戻り防止器具１０の正面図である。
【図４】板状磁石１にフック２を備えた事を特徴とする、本考案の食品包装用ラップフィルム逆戻り防止器具１０を、食品包装用ラップフィルム容器２０に、取り付けする場合の斜視図である。
【図５】板状磁石１にコの字型の台座板３を備えた事を特徴とする、本考案の食品包装用ラップフィルム逆戻り防止器具１０を、食品包装用ラップフィルム容器２０に、取り付けする場合の斜視図である。
【符号の説明】
【００１４】１    板状磁石
２    フック
３    コの字型の台座板
４    板状磁石の輪郭に施した凹凸部分
１０  食品包装用ラップフィルム逆戻り防止器具
２０  食品包装用ラップフィルム容器
２１  食品包装用ラップフィルム容器の刃
２２  食品包装用ラップフィルム
【図１】
0003141123.tif 000003
【図２】
0003141123.tif 000004
【図３】
0003141123.tif 000005
【図４】
0003141123.tif 000006
【図５】
0003141123.tif 000007
(57)【要約】      （修正有）【課題】持ち運びが容易な携帯性に優れ先端部品が交換できる、軽量であるグランド整備用具を提供する。【解決手段】グランド整備用具を、幾つかの部品の組み合わせとして、不必要な立体形状ではない状態とした。これらをネジなどで容易に組み立てることが出来るようにした。また、アルミなどを用いることで、軽量のグランド整備用具を得ることが出来た。さらに、先端部の部品を交換することで、異なった用途に対応することが出来るようにした。  【選択図】図１
0003141121.tif 000002
【実用新案登録請求の範囲】
【請求項１】
アルミ、鉄等及びステンレス等の合金を用いた組立て式で先端部品が取り替えられるグランド整備用具。
【請求項２】
持ち運びすることが容易な請求項１のグランド整備用具。
【請求項３】
軽量で扱いが簡単な請求項１グランド整備用具。
【考案の詳細な説明】
【技術分野】
【０００１】本考案は持ち運びが容易なグランドを整備する用具に関するものである。
【背景技術】
【０００２】従来のグランドを整備する用具は固定式で、持ち運びがしにくいものであった。レーキと呼ばれるこれらは、材質としては木材を釘でとめたものや、鉄製で部品を溶接したものであった。
【考案の開示】
【考案が解決しようとする課題】
【０００３】従来のグランドを整備する用具は持ち運ぶことに問題点があった。車でグランドに行く場合でも、容易に運べるものではなかった。
【課題を解決するための手段】
【０００４】本考案はグランド整備用具を、幾つかの部品の組み合わせとして、不必要な立体形状ではない状態とした。これらをネジなどで容易に組み立てることが出来るようにした。また、アルミなどを用いることで、本考案は軽量のグランド整備用具を得ることが出来た。さらに、先端部の部品を交換することで、異なった用途に対応することが出来るようにした。
【考案の効果】
【０００５】本考案のグランド整備用具は、軽量で小学生でも持ち運びが簡単にできるものである。また、組立て式なので携帯性にも優れ容易に持ち運びができるものである。
【考案を実施するための最良の形態】
【０００６】本考案の実施形態を、図面を参照して詳述する。
【図面の簡単な説明】
【０００７】
【図１】本図面は組み立てられた完成図面である。本考案は▲１▼と▲２▼、▲３▼の３つの部品をネジ等で接合することにより実施形態となる。▲１▼は上部のパイプであり、▲２▼と接合することにより、実施可能な長さを得る。また、▲３▼のＬ型プレートはグランドでの整備作業の場合、必要部分となる。▲１▼と▲２▼はＡで、▲２▼と▲３▼はＢのネジ等によって接合される。また、▲４▼は▲３▼と交換でき、たとえば雨降りの後の水溜り水分をスポンジ等で吸い上げるときに対応できる。また、▲４▼の例としては  スポンジ等、ブラシ等が挙げられる。
【符号の説明】
【０００８】▲１▼は上部パイプ
▲２▼は下部パイプ
▲３▼はＬ型プレート
▲４▼は取替え部品
Ａは接合部品
Ｂは接合部品
【図１】
0003141121.tif 000003
(57)【要約】      （修正有）【課題】展示用軽量ボードパネル類の配送及び保管のためのケースにおいて、煩雑で面倒な従来の気泡緩衝材や段ボールの代わりに、梱包時間の短縮や梱包作業の容易さ、保管状態の向上、また環境への配慮を目的とした軽量かつ強度を有している成型簡易梱包ケースを提供する。【解決手段】内容梱包物にサイズを合わせた上蓋体１０と底蓋体１１を同一成形型から軽量樹脂材料を用いて生産し、梱包内容物は面ファスナーで固定する。【選択図】図５
0003141113.tif 000002
【実用新案登録請求の範囲】
【請求項１】
同一の形状で成型された上蓋体と底蓋体で構成され、面ファスナーで梱包内容物を固定する展示用軽量ボードパネル類の配送及び保管ケース。
【請求項２】
底蓋体に面ファスナーを面ファスナー通し穴より差し込み、十字に交差させて、複数枚のサイズ違いの梱包内容物である展示用軽量ボードパネルでもガタつきがなく固定できることを特徴とする請求項１記載の展示用軽量ボードパネル類の配送及び保管ケース。
【考案の詳細な説明】
【考案の詳細な説明】
【技術分野】
【０００１】  本考案は展示用軽量ボードパネル類の配送、もしくは保管のための成型簡易梱包ケースに関する。
【背景技術】
【０００２】  従来の展示用軽量ボードパネル類の配送もしくは保管のためには、Ａ２以下の規格サイズの場合図面ケースを代用する事も可能であるが、おおむね気泡緩衝材や段ボール材、プラスチック段ボール材をガムテープで固定し保護して配送、保管している。そしてそのほとんどの場合、その都度、気泡緩衝材や段ボール材等梱包材料は廃棄されている。
【考案の開示】
【考案が解決しようとする課題】
【０００３】  しかしながら気泡緩衝材や段ボール材では、もともと展示用軽量ボードパネル類を梱包する形状にはなっておらず、巻き状の気泡緩衝材を広げて梱包したり、段ボール材を広げて梱包する事にそれ相当の場所と時間を有し、他に固定する為のテープ等の固定材料を必要とし煩雑さも考慮すると使用頻度が高いであろう展示会場や倉庫、オフィスでは非常に面倒である。【０００４】  また次回使用の際には、気泡緩衝材や段ボール材は廃棄される事がほとんどで環境にとっても良いとは言えない。
【考案が解決する為の手段】
【０００５】  梱包される内容物の形状に合わせて作る事により、時間と場所の必要性が最小限で済む。その場合手軽に扱える重量で同等かそれ以上の強度を持ち、一度の使用で廃棄せず複数回の使用に耐える材料を使用する事。また上蓋体１０と底蓋体１１を同一成形型から生産することにより費用を抑え、従来の気泡緩衝材やダンボール材の使用回数のべ費用に近づける事。
【０００６】  煩雑さを軽減するため、内容物の固定とケースの固定に面ファスナーを付属させておく事で上記課題を解決する。
【考案の効果】
【０００７】  使用頻度が高いであろう展示会場や倉庫等で、梱包作業場所の確保や短時間で梱包が済み作業効率が上がる。また複数回使用できる事で環境にも良く、使い方次第では対費用効果にも貢献できる。
【考案を実施するための形態】
【０００８】  本考案のケースは、梱包、固定作業が容易なように上蓋体１０と底蓋体１１の二枚合わせの形状にする。その場合、上蓋体１０と底蓋体１１は定型サイズより一回り大きめで製作し、同一成形型より生産する事で生産費用を抑える。
【０００９】  重量を軽くし強度を増すため軽量樹脂材料にて図１に示されるようにリブ加工１や周囲をツバ状２にし、ねじれや曲がりを抑制する。
【００１０】  保管に関して平置きで重ねた場合、長方形リブ加工１ａの内周りが、隣り合う長方形リブ加工１ｂの外回りと合致し、ずれ防止のためのデザインにする。その場合、通常のリブ加工１よりも長方形リブ加工１ａ、１ｂの方が凸面は数ミリ高くしておく必要がある。
【００１１】  パッチン錠３や蝶番４の金具は緩みがでないようリベット６固定とし内部に補強板を仕込む事でリベット６固定面部分を補強する。
【００１２】  また上蓋体１０と底蓋体１１のズレ防止のため補助板８を取付ける。
【００１３】  梱包内容物９のガタ付き防止のため底蓋体１１に面ファスナー６を規格サイズより少し小さめの位置の面ファスナー通し穴５より通して固定できるようにしておく。
【００１４】  配送中のケースの開き防止のためにも幅広面ファスナー１２で周囲を巻き、いっそうの保護をする。片手で持てるよう輪状の把手１３に幅広面ファスナー１２を図７のように通しておく。
【００１５】  複数回の使用のため宅配便用宛名シール等が再剥離できるよう材料自体の外面に細かい目の凹凸のあるシボ加工を施す。小さい方の長方形リブ加工１ｂは、宅配便用宛名シールの面積を確保する。
【図面の簡単な説明】
【００１６】
【図１】閉じた状態で上から見た図
【図２】閉じた状態で底から見た図
【図３】図１のイーイ面
【図４】図１のローロ面
【図５】開口時の図
【図６】梱包実施時の開口図
【図７】配送時の全体図
【符号の説明】
【００１７】      １  リブ加工
１ａ  長方形リブ加工
１ｂ  長方形リブ加工
２  ツバ
３  パッチン錠
４  蝶番
５  面ファスナー通し穴
６  リベット
７  面ファスナー
８  補助板
９  配送実施時の梱包内容物である軽量ボード
１０  上蓋体
１１  底蓋体
１２  幅広面ファスナー
１３  把手
【図１】
0003141113.tif 000003
【図２】
0003141113.tif 000004
【図３】
0003141113.tif 000005
【図４】
0003141113.tif 000006
【図５】
0003141113.tif 000007
【図６】
0003141113.tif 000008
【図７】
0003141113.tif 000009
(57)【要約】      （修正有）【課題】会員カードにおいて、会員子カードと入会申込票が連結一体化しており、更に会員カードと会員子カードと入会申込票がそれぞれ切り離すことが出来るプラスチック製会員カードを提供する。【解決手段】会員カード１と入会申込票３および会員子カード２が連結一体化し、それぞれに同一のバーコード情報５が記載されており、それぞれが折り曲げて切り離すことが出来るようにし、会員カードと会員子カードは会員本人に渡し、入会申込書には会員の個人情報等を記入でき、カード発行元がそのまま会員台帳として使用することを可能にする。【選択図】図１
0003141115.tif 000002
【実用新案登録請求の範囲】
【請求項１】
一方の面にカードの名称や様々なデザインが印刷されており、他方の面にバーコード情報が印刷されている会員カードにおいて、同一の面に同一のバーコード情報が印刷されている単数又は複数の会員子カードと入会申込票が連結一体化されていることを特徴とするプラスチック製会員カード。
【請求項２】
請求項１の会員カードにおいて、連結一体化している会員子カードと入会申込票がそれぞれ容易に切り離すことができる会員カード。
【請求項３】
前記入会申込票には筆記適性のある領域を有することを特徴とする請求項１及び２に記載の会員カード。
【考案の詳細な説明】
【技術分野】
【０００１】  本考案は、会員であることを示すバーコード等の情報が印刷されているプラスチック製会員カードにおいて、会員子カードと入会申込票が分離されずに連結一体化している会員カードに関するものである。
【背景技術】
【０００２】  従来、特定の団体、企業等の会員になるべく入会申込を受け、会員カードや会員子カードを発行する場合、会員カードと会員の個人情報等を記入する紙製会員台帳は別々の体裁であり、会員カードのバーコード情報と会員台帳情報を取り違えることなく発行するのに難があった。
【考案の開示】
【考案が解決しようとする課題】
【０００３】  同一のバーコード情報を有する会員カードと会員子カードに加え入会申込票を連結一体化し、それぞれが切り離せるようにすることにより会員カードと会員子カード及び入会申込票の情報の不整合を防ぎ、会員カードと会員子カードは会員に渡し、入会申込票は会員台帳として利用できるプラスチック製会員カードを提供する。
【課題を解決するための手段】
【０００４】  本考案のプラスチック製会員カードは、一方の面にカードの名称を示すロゴやデザインが印刷されているが、他方の面にはバーコード情報が印刷されており、同一のバーコード情報は連結一体化している単数もしくは複数の会員子カードと入会申込票にも印刷されており、それぞれ切り離せる様にする。更に入会申込票には筆記適性を有する領域が設けてあり会員の個人情報等が容易に記入できる
【考案の効果】
【０００５】  上述の様に、本考案のプラスチック製会員カードは、カードと会員子カードと入会申込票それぞれに同一の管理用バーコード情報が記載されており、会員が入会を申し込む際に、会員の氏名、住所、生年月日等の個人情報を入会申込票に直接記入し、情報記入後に会員カードと会員子カードを入会申込票から切り離し会員に渡す。会員は更に会員カードと会員子カードを切り離し、それぞれ必要に応じ携帯使用することが出来る。また、入会申込票はカード発行元が会員台帳として利用することが出来る。このように本考案の会員カードを使用すれば、会員情報のある会員台帳と会員カード及び会員子カードは同一のバーコード情報を有しており、会員カードと会員子カード及び会員台帳の不整合の問題は解決される。
【実施例】
【０００６】  以下、添付図面に従って一実施例を説明する。会員カード１は会員子カード２及び入会申込票３と連結一体化しており、切り込み４ａ，４ｂ，４ｃがそれぞれ設けられており会員カード１と会員子カード２と入会申込票３は折り曲げた後それぞれ切り離すことが出来る。会員カード１、会員子カード２、入会申込票３はプラスチック樹脂シートからなり、一方の同一な面に同一のバーコード情報５が会員カード１、会員子カード２及び入会申込票３に印刷されている。更に入会申込票３には氏名、住所、生年月日等の個人情報が記入できるように筆記適性を有する領域６を設けている。必要に応じ会員子カード２にはパンチ穴７を設け会員が保有し易いように配慮する。他方の面にはカードの名称やロゴ等が任意のデザインで印刷される。材料となるプラスチック樹脂シートは硬質塩化ビニル樹脂やポリエステル樹脂、ポリプロピレン樹脂、ポリカーボネート樹脂等が適し、厚さ０．１ｍｍから１ｍｍ程度のシートが望ましい。【０００７】  本考案の会員カードの利用方法は、入会希望者に氏名、住所、生年月日等の個人情報を入会申込票３の所定の箇所に記入させ、内容を確認した後に会員カード１と会員子カード２を切り込み線４ｂから切り離し会員に渡す。会員は更に会員カード１と会員子カード２を切れ込み線４ａ、４ｃから切り離し、必要に応じ会員カードを携帯使用する。また、入会申込票３は更にカード発行元で必要事項を記入後、会員台帳として使用するが、会員カード１と会員子カード２と入会申込票３には同一のバーコード情報５が印刷されており、会員情報管理が容易かつ正確に成される。【０００８】  会員子カード２は単数又は複数で形状、大きさは会員カード発行元が自由にデザイン設定をし、必要に応じパンチ穴を設け会員が保有し易くすること等、様々な態様が可能である。
【図面の簡単な説明】
【０００９】
【図１】本考案の会員カードの一実施例を示す表面図である。
【符号の説明】
【００１０】１・・・・・・会員カード
２・・・・・・会員子カード
３・・・・・・入会申込票
４ａ，４ｂ，４ｃ・・切り込み線
５・・・・・・バーコード
６・・・・・・個人情報等筆記欄
７・・・・・・パンチ穴
【図１】
0003141115.tif 000003
(57)【要約】【課題】  本考案は、労力を要することなく、つぼ押しできる、つぼ押し棒を提供する。【解決手段】  本考案は、つぼ押し棒の本体形状を、肩、鎖骨、脇などに当てる部分を設けることによって、体重を加重に変換し、筋力による加重の変わりとして、つぼ押し棒本体に伝え、筋力による疲労を解消し、楽につぼ押しできる。【選択図】図１
0003141118.tif 000002
【実用新案登録請求の範囲】
【請求項１】
つぼ押し棒の本体に肩、鎖骨、脇などに体をあてて保持する部分を設け、体重を利用して体を前方から前方斜め下および下方向の任意の範囲で傾斜させる事により、筋力を使用しないで疲労することなく、且つ強弱自在に、体に接するつぼ押し部分に力を加える事ができる機能があることを特徴とする低労力機能付きつぼ押し棒。
【考案の詳細な説明】
【技術分野】
【０００１】  本考案は本体に肩、鎖骨、脇などに体をあてて保持する部分を設けた、つぼ押し棒に関するものである。
【背景技術】
【０００２】  従来のつぼ押し棒は、腕力や握力または体のいずれかの筋力を使用して、疲労しながら、つぼ押しするものであった。
【考案の開示】
【考案が解決しようとする課題】
【０００３】  筋力を使用してのつぼ押しは、自身で行う場合でも、他人に手伝ってもらいもらう場合でも、力のある人、無い人によってつぼ押し効果が左右され、時間経過とともに疲労する。自身で行った場合は、つぼ押し効果によってからだの一部分は楽になるが、筋力を使用した部分は疲労する。他人に手伝ってもらってつぼ押しした場合は、自分は楽になるが、手伝ってもらった人は疲労するという、中途半端な欠点がある。従って、筋力を使用せず、体重の移動によって発生した力をつぼ押し棒に伝え、力の個人差による効果の左右を軽減し、疲労することなく持続的につぼ押しする事で、前述の欠点を解決しようとするものである。
【課題を解決するための手段】
【０００４】  本考案は、つぼ押し棒の本体形状に、肩、鎖骨、脇などを当てる部分を設けることによって、体重を加重に変換し、筋力による加重の変わりとして、つぼ押し棒本体に伝え、筋力による疲労を解消することによって問題点を解決している。
【考案の効果】
【０００５】  体重を利用してのつぼ押しは、労力による疲労感が無く、つぼ押し効果による健康回復感と爽快感のみが実感としてのこり、体力的、精神的な健康維持に役立つ。
【考案を実施するための最良の形態】
【０００６】  つぼ押し棒本体に使用するに十分な強度のある、金属、木材、プラスチック、カーボン、グラスファイバーなどの適宜な棒状素材を使用し、加工して湾曲させる。湾曲の先端の長さを左右非対称にし、長い部分と短い部分を作り、左右それぞれの先端に体に接するつぼ押し部分を設ける。また湾曲の途中を肩、鎖骨、脇などに接して保持する部分に加工する。これにより先端の長い方を保持する部分より力が伝わる、体重によるつぼ押し部分となり、短い方は従来どおりの筋力によるつぼ押し部分となる。
【実施例】
【０００７】  以下、添付図面に従って一実施例を説明する。
１は金属、木材、プラスチック、カーボン、グラスファイバーなどの適宜な棒状素材を使用し、加工して湾曲させたつぼ押し棒本体。２は肩、鎖骨、脇などに当てて保持する部分で、形状は身体に沿うように半弧状の形状にし、身体に接する外面には適宜素材による衝撃吸収材を配する。３と４は力を伝達する支柱部分。ＡとＢは適宜素材で作られた半円球状のつぼ押し部分である。【０００８】  ２を肩に当てて３のやや下方Ａよりの位置に手を添えて、Ａを身体の任意の部位に当てる。身体を傾斜させ加重し、添えた手で身体に当てる位置を調整する。この際に身体の傾斜を調整することで加重の加減をする。【０００９】  これにより自身をつぼ押しする場合は足、ふくらはぎ、足裏、甲部分を、筋力を使うことなくつぼ押しできる。また他人に手伝ってもらいつぼ押しする場合は、身体全体の筋力を使う事なくつぼ押しできる。【００１０】  ３に手を添えてＢを自身の背中に当てて、手を前方から下方の任意の方向に動かし加重すれば他人に手伝ってもらう事なく自身の背面をつぼ押しできる。
【図面の簡単な説明】
【００１１】
【図１】本考案の低労力機能付きつぼ押し棒の一実施例の正面図である。
【図２】本つぼ押し棒の一部切欠断面図である。外面に衝撃吸収材を配する。
【符号の説明】
【００１２】  １  つぼ押し棒本体
２  本体を肩、鎖骨、脇などの身体に当て、保持する部分
３  本体の支柱部分
４  本体の支柱部分
Ａ  つぼ押し部分
Ｂ  つぼ押し部分
【図１】
0003141118.tif 000003
【図２】
0003141118.tif 000004